(57)【特許請求の範囲】
【請求項１】
２つの表示素子の光出力位置を該表示素子の画素の斜め方向の隣接画素との距離の１／２の距離だけ斜め方向にずらして水平方向および垂直方向の解像度を２倍にする投射型表示装置と、
前記２つの表示素子の光出力位置のずれ量に応じて前記投射型表示装置にモアレを生じさせる調整信号を前記投射型表示装置に入力する調整用信号発生器とを備え、
前記投射型表示装置は、前記２つの表示素子の光出力位置を水平方向及び垂直方向に調整可能に構成され、前記調整信号に基づいた画像の表示により生じるモアレにより前記２つの表示素子の光出力位置のずらし量を調整し、
前記調整用信号発生器は、水平方向のずらし量を調整するときは、前記調整信号として、前記２つの表示素子の一方には、該表示素子の画素ピッチの２倍の長さよりも所定の長さ長い波長の正弦波を、画素ピッチでサンプリングした振幅値が輝度値に変換された値を水平方向のラインの画素に順次割り当てた画像ファイルとして表示される信号を入力し、他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を水平方向ラインの画素に順次割り当てられた水平方向ラインデータを、位相のずれ量毎に同じ水平方向ラインデータについて複数ライン連続して帯状に配置するとともに、該帯状のラインデータを垂直方向に位相のずれ量が前記所定間隔で変化するように配置した画像ファイルとして表示される信号を入力し、
垂直方向のずらし量を調整するときは、前記調整信号として、前記２つの表示素子の一方には、該表示素子の画素ピッチの２倍の長さよりも所定の長さ長い波長の正弦波を、画素ピッチでサンプリングした振幅値が輝度値に変換された値を垂直方向のラインの画素に順次割り当てた画像ファイルとして表示される信号を入力し、他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を垂直方向ラインの画素に順次割り当てられた垂直方向ラインデータを、位相のずれ量毎に同じ垂直方向ラインデータについて複数ライン連続して帯状に配置するとともに、該帯状のラインデータを水平方向に位相のずれ量が前記所定間隔で変化するように配置した画像ファイルとして表示される信号を入力し、
水平方向のずらし量を水平方向の隣接画素間の距離の１／２にする調整と、垂直方向のずらし量を垂直方向の隣接画素間の距離の１／２にする調整とを繰り返し、前記２つの表示素子の光出力位置のずらし量を調整することを特徴とする表示素子の画素ずらし量調整装置。
【請求項２】
２つの表示素子の光出力位置を該表示素子の画素の斜め方向の隣接画素との距離の１／２の距離だけ斜め方向にずらして水平方向および垂直方向の解像度を２倍にする投射型表示装置の表示素子の画素ずらし量調整方法であって、
前記２つの表示素子の光出力位置のずれ量に応じて前記投射型表示装置にモアレを生じさせる調整信号を前記投射型表示装置に入力するステップと、
前記調整信号に基づいて前記投射型表示装置に表示されるモアレにより前記２つの表示素子の光出力位置のずらし量を調整するステップとを含み、
前記調整信号として、前記２つの表示素子の一方には、該表示素子の画素ピッチの２倍の長さよりも所定の長さ長い波長の正弦波を、画素ピッチでサンプリングした振幅値が輝度値に変換された値を水平方向のラインの画素に順次割り当てた画像ファイルとして表示される信号を入力し、
他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を水平方向ラインの画素に順次割り当てられた水平方向ラインデータを、位相のずれ量毎に同じ水平方向ラインデータについて複数ライン連続して帯状に配置するとともに、該帯状のラインデータを垂直方向に位相のずれ量が前記所定間隔で変化するように配置した画像ファイルとして表示される信号を入力して水平方向のずらし量を隣接画素間の距離の１／２に調整し、
前記調整信号として、前記２つの表示素子の一方には、該表示素子の画素ピッチの２倍の長さよりも所定の長さ長い波長の正弦波を、画素ピッチでサンプリングした振幅値が輝度値に変換された値を垂直方向のラインの画素に順次割り当てた画像ファイルとして表示される信号を入力し、
他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を垂直方向ラインの画素に順次割り当てられた垂直方向ラインデータを、位相のずれ量毎に同じ垂直方向ラインデータについて複数ライン連続して帯状に配置するとともに、該帯状のラインデータを水平方向に位相のずれ量が前記所定間隔で変化するように配置した画像ファイルとして表示される信号を入力して垂直方向のずらし量を隣接画素間の距離の１／２に調整し、
これら水平方向の調整と垂直方向の調整を繰り返し、前記２つの表示素子の光出力位置のずれ量を調整することを特徴とする表示素子の画素ずらし量調整方法。
【発明の詳細な説明】
【０００１】
【発明の属する技術分野】
本発明は、投射型表示装置に関し、特に、複数の表示素子をずらして配置し高い解像度を得ようとする投射型表示装置の表示素子の画素ずらし量調整装置及びその方法に関する。
【０００２】
【従来の技術】
従来、投射型表示装置において、高い解像度を得ようとする場合、図７に示すように、ランプ１１の光を偏光ビームスプリッタ１２を通して２つの表示素子１３，１４に照射し、その反射光を偏光ビームスプリッタ１２で重ね合わせて、レンズ１５を通して投影面１６に投影するようにし、２つの表示素子１３，１４の光出力位置を斜め方向の隣接画素との距離の１／２の距離だけ斜め方向にずらして配置することにより、水平方向および垂直方向の解像度が２倍になるようにしている。
【０００３】
【発明が解決しようとする課題】
この際、表示素子１３，１４のずれ量が斜め方向の隣接画素との距離の１／２の距離になるように調整しなければならないが、２つの表示素子１３，１４は別々に配置され、光出力のみが合成されるので、表示素子の位置だけを見てずれ量を調節するのは困難であった。
【０００４】
そこで、本発明は、２つの表示素子に位置合わせ用の信号として表示画面に所定のパターンを表示する信号を入力することにより、表示素子のずれ量の微調整を容易に行うことができる表示素子の画素ずらし量調整方法を提供することを目的とする。
【０００５】
【課題を解決するための手段】
上記課題を解決する第１の発明は、２つの表示素子の光出力位置を該表示素子の画素の斜め方向の隣接画素との距離の１／２の距離だけ斜め方向にずらして水平方向および垂直方向の解像度を２倍にする投射型表示装置と、前記２つの表示素子の光出力位置のずれ量に応じて前記投射型表示装置にモアレを生じさせる調整信号を前記投射型表示装置に入力する調整用信号発生器とを備え、前記投射型表示装置は、前記２つの表示素子の光出力位置を水平方向及び垂直方向に調整可能に構成され、前記調整信号に基づいた画像の表示により生じるモアレにより前記２つの表示素子の光出力位置のずらし量を調整し、前記調整用信号発生器は、水平方向のずらし量を調整するときは、前記調整信号として、前記２つの表示素子の一方には、該表示素子の画素ピッチの２倍の長さよりも所定の長さ長い波長の正弦波を、画素ピッチでサンプリングした振幅値が輝度値に変換された値を水平方向のラインの画素に順次割り当てた画像ファイルとして表示される信号を入力し、他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を水平方向ラインの画素に順次割り当てられた水平方向ラインデータを、位相のずれ量毎に同じ水平方向ラインデータについて複数ライン連続して帯状に配置するとともに、該帯状のラインデータを垂直方向に位相のずれ量が前記所定間隔で変化するように配置した画像ファイルとして表示される信号を入力し、垂直方向のずらし量を調整するときは、前記調整信号として、前記２つの表示素子の一方には、該表示素子の画素ピッチの２倍の長さよりも所定の長さ長い波長の正弦波を、画素ピッチでサンプリングした振幅値が輝度値に変換された値を垂直方向のラインの画素に順次割り当てた画像ファイルとして表示される信号を入力し、他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を垂直方向ラインの画素に順次割り当てられた垂直方向ラインデータを、位相のずれ量毎に同じ垂直方向ラインデータについて複数ライン連続して帯状に配置するとともに、該帯状のラインデータを水平方向に位相のずれ量が前記所定間隔で変化するように配置した画像ファイルとして表示される信号を入力し、水平方向のずらし量を水平方向の隣接画素間の距離の１／２にする調整と、垂直方向のずらし量を垂直方向の隣接画素間の距離の１／２にする調整とを繰り返し、前記２つの表示素子の光出力位置のずらし量を調整することを特徴とするものである。
【０００６】
この発明では、投射型表示装置に２つの表示素子の光出力位置のずれ量に応じたモアレが表示される。したがって、表示されるモアレによって２つの表示素子の光出力位置が調整される。
【０００８】
また、この発明では、段階的に位相をずらした複数の正弦波からサンプリングした帯状の画像が同一画像ファイルに合成されて表示される。したがって、表示素子のずれ量及びずれの方向に応じてモアレが変化する画像が表示される。
【０００９】
上記課題を解決する第２の発明は、２つの表示素子の光出力位置を該表示素子の画素の斜め方向の隣接画素との距離の１／２の距離だけ斜め方向にずらして水平方向および垂直方向の解像度を２倍にする投射型表示装置の表示素子の画素ずらし量調整方法であって、前記２つの表示素子の光出力位置のずれ量に応じて前記投射型表示装置にモアレを生じさせる調整信号を前記投射型表示装置に入力するステップと、前記調整信号に基づいて前記投射型表示装置に表示されるモアレにより前記２つの表示素子の光出力位置のずらし量を調整するステップとを含み、前記調整信号として、前記２つの表示素子の一方には、該表示素子の画素ピッチの２倍の長さよりも所定の長さ長い波長の正弦波を、画素ピッチでサンプリングした振幅値が輝度値に変換された値を水平方向のラインの画素に順次割り当てた画像ファイルとして表示される信号を入力し、他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を水平方向ラインの画素に順次割り当てられた水平方向ラインデータを、位相のずれ量毎に同じ水平方向ラインデータについて複数ライン連続して帯状に配置するとともに、該帯状のラインデータを垂直方向に位相のずれ量が前記所定間隔で変化するように配置した画像ファイルとして表示される信号を入力して水平方向のずらし量を隣接画素間の距離の１／２に調整し、前記調整信号として、前記２つの表示素子の一方には、該表示素子の画素ピッチの２倍の長さよりも所定の長さ長い波長の正弦波を、画素ピッチでサンプリングした振幅値が輝度値に変換された値を垂直方向のラインの画素に順次割り当てた画像ファイルとして表示される信号を入力し、他方の表示素子には、一方の表示素子に表示する画像ファイルを作成した正弦波から位相を４分の１波長分を中心として前後に所定波長分、所定間隔でずらした正弦波から、それぞれ画素ピッチでサンプリングした振幅値が輝度値に変換された値を垂直方向ラインの画素に順次割り当てられた垂直方向ラインデータを、位相のずれ量毎に同じ垂直方向ラインデータについて複数ライン連続して帯状に配置するとともに、該帯状のラインデータを水平方向に位相のずれ量が前記所定間隔で変化するように配置した画像ファイルとして表示される信号を入力して垂直方向のずらし量を隣接画素間の距離の１／２に調整し、これら水平方向の調整と垂直方向の調整を繰り返し、前記２つの表示素子の光出力位置のずれ量を調整することを特徴とするものである。
【００１０】
この発明では、投射型表示装置に２つの表示素子の光出力位置のずれ量に応じたモアレが表示される。したがって、表示されるモアレによって２つの表示素子の光出力位置が調整される。
【００１２】
また、この発明では、段階的に位相をずらした複数の正弦波からサンプリングした帯状の画像が同一画像ファイルに合成されて表示される。したがって、表示素子のずれ量及びずれの方向に応じてモアレが変化する画像が表示される。
【００１５】
【発明の実施の形態】
以下、本発明を図面を参照して説明する。
図１〜図３は本発明の一実施形態の表示素子の画素ずらし量調整方法を示す図である。
【００１６】
図１において、表示素子の画素ずらし量調整装置は、調整対象となる投射型表示装置１０と、調整用信号発生器１とを備えている。
【００１７】
投射型表示装置１０は、従来例と同様のもので、表示素子１３，１４は反射型液晶素子で、多数の画素を格子状に配置し入力信号に応じて画素の輝度を制御して画像を形成するものである。ランプ１１は光源であり、偏光ビームスプリッタ１２はランプ１１からの光を表示素子１３，１４に照射するとともに表示素子１３，１４から反射してきた光を合成してレンズ１５を通して投影面１６に投影するものである。そして、表示素子１３，１４の光出力位置を水平方向及び垂直方向に自由にずらせるようになっている。
【００１８】
調整用信号発生器１は、投射型表示装置１０の画素ずらし量を調整する信号として投影面１６にモアレ（縞模様）を表示させる信号を表示素子１３，１４別々に生成し、それぞれに入力するもので、パソコンなどの表示装置に画像を表示させることができるものであればよい。
【００１９】
この表示素子の画素ずらし量調整装置は、調整用信号発生器１が発生する信号により投影面１６にモアレを投影し、そのモアレの見え方によりずらし量を調整することを特徴としている。
【００２０】
斜め方向の隣接画素間の距離の１／２の距離だけ斜め方向にずらすということは、水平方向及び垂直方向ともに隣接画素間の距離の１／２の距離だけずらすということであるので、本実施形態では水平方向と垂直方向でそれぞれずらし量を隣接画素間の距離の１／２の距離に調整することにより、斜め方向のずらし量を隣接画素間の距離の１／２の距離に調整するようにしている。
【００２１】
まず、水平方向のずらし量を調整するためのモアレを投影面１６に表示する画像ファイルを作成する。これは、表示素子１３，１４の水平方向の画素ピッチ（隣り合う画素間の距離）の２倍の長さより若干長い波長の正弦波を表示素子１３，１４の画素ピッチでサンプリングし、その振幅値を画素の輝度値に変換し、その輝度値を水平方向ライン毎に水平方向に左端（もしくは右端）の画素から順次割り当てて画像ファイルを作成する。
【００２２】
例えば、画素ピッチの２倍の長さを１波長とする正弦波の周波数をＦとすると、周波数0.9Ｆの正弦波からサンプリングして２５６階調の輝度値に変換する場合、水平方向の左からｘ番目の画素の輝度値Ｐ（ｘ）は次式により求める。
Ｐ（ｘ）＝１２７（ｓｉｎ（ＰＩ×ｘ×０．９）＋１）  （ＰＩ：円周率）
【００２３】
ここで、２つの表示素子１３，１４を隣接画素間の距離の１／２だけずらすことから、２つの表示素子１３，１４に表示する画像ファイルを作成する際サンプリングする正弦波の位相を１／４波長分ずらすようにする。
【００２４】
図２は、表示素子１３，１４の画素ピッチを１波長とする正弦波の周波数をＦとし、表示素子のずれが隣接画素間の距離の１／２から-0.5画素ピッチから0.5画素ピッチまでずれた場合の、周波数によるモアレの見え方の違いを示した図である。
【００２５】
図２に示すように、位置ずれによりモアレが変化することがわかる。このモアレにより位置ずれが分かりやすいように、画像ファイルを作成する際サンプリングする正弦波の周波数を選択するが、実験の結果から0.8Ｆから0.9Ｆ程度の周波数がよい。
【００２６】
次に、図２のモアレだけでは、表示素子１３，１４の相対位置が隣接画素間の距離の１／２よりずれていることは分かるが、どちらの方向にずれているかは分からないので、片方の表示素子の画像ファイルを作成する際サンプリングする正弦波の位相を１／４波長（0.25波長）分を中心として変化させる。
【００２７】
例えば、周波数0.9Ｆの正弦波をサンプリング対象とし、片方の表示素子に表示する画像ファイルは、サンプリングする正弦波の位相を0.1波長分から0.4波長分までずらして作成する。このときの、表示素子１３，１４の隣接画素間の距離の１／２からのずれと、表示されるモアレとの関係を示したのが図３である。
【００２８】
図３に示すように、表示素子１３，１４のずれが隣接画素間の距離の１／２であれば（図中、ずれ０画素）、位相差0.25波長では上下対称にモアレが生じるが、表示素子１３，１４のずれが隣接画素間の距離の１／２より＋側に（右方向に）ずれると、下側（位相差が大きい側）のモアレが大きくなり、モアレが生じない部分が上側（位相差が小さい側）へずれる。表示素子１３，１４のずれが隣接画素間の距離の１／２より−側に（左方向に）ずれると、上側（位相差が小さい側）のモアレが大きくなり、モアレが生じない部分が下側（位相差が大きい側）へずれる。よって、モアレの生じ方により表示素子１３，１４のずれの方向とずれの程度が分かるようになる。
【００２９】
以上のことから、一方の表示素子１３には、周波数0.9Ｆの正弦波を画素ピッチでサンプリングした振幅値が輝度値に変換された値を、水平方向のラインの画素に順次割り当てた画像ファイルで表示し、他方の表示素子１４には、一方の表示素子１３に表示する画像ファイルを作成した周波数0.9Ｆの正弦波から位相を0.1波長分から0.4波長分まで0.05波長分間隔でずらした正弦波から、それぞれの画素ピッチでサンプリングした振幅値が輝度値に変換された値を水平方向ラインの画素に順次割り当てられた水平方向ラインデータを、位相のずれ量毎に同じ水平方向のラインデータの複数ライン分連続して帯状に配置するとともに、この帯を垂直方向に位相のずれ量が0.05波長分ずつ変化するように配置した画像ファイルを表示する。
【００３０】
そして、上述したように、投影面１６に表示されるモアレパターンから、表示素子１３，１４のずれ量及びずれ方向を判断し、表示素子１３，１４の水平方向のずれ量を調整する。
【００３１】
次に、垂直方向のずれ量を調節するため、水平方向の調節で作成した画像ファイルの水平方向と垂直方向を入れ替えた画像ファイルを作成し表示する。
【００３２】
すなわち、一方の表示素子１３には、周波数0.9Ｆの正弦波を画素ピッチでサンプリングした振幅値が輝度値に変換された値を、垂直方向のラインの画素に順次割り当てた画像ファイルとして表示し、他方の表示素子１４には、一方の表示素子１３に表示する画像ファイルを作成した周波数0.9Ｆの正弦波から位相を0.1波長分から0.4波長分まで0.05波長分間隔でずらした正弦波から、それぞれ画素ピッチでサンプリングした振幅値が輝度値に変換された値を垂直方向ラインの画素に順次割り当てた垂直方向ラインデータを、位相のずれ量毎に同じ垂直方向ラインデータを複数ライン分連続して帯状に配置するとともに、この帯を水平方向に位相のずれ量が0.05波長分ずつ変化するように配置した画像ファイルとして表示する。
【００３３】
そして、上述した水平方向の調整と同様に、投影面１６に表示されるモアレパターンから、表示素子１３，１４のずれ量及びずれ方向を判断し、表示素子１３，１４の垂直方向のずれ量を調整する。
【００３４】
次に、再度水平方向の調整用の画像ファイルを表示し、水平方向のずれ量を確認し、ずれ量が隣接画素間の距離の１／２になっていなければ、再度水平方向の調整を行い、さらに垂直方向の調整を行い、水平方向、垂直方向ともにずれ量が隣接画素間の距離の１／２になるまで繰り返す。
【００３５】
このように本実施形態においては、表示素子１３，１４のずれ量に応じて変化するモアレを投影面１６に表示し、このモアレによって表示素子１３，１４のずれ量を調整しているので、別々に配置された表示素子１３，１４の光出力のずれ量も容易に調整することができる。
【００３６】
なお、表示素子１３，１４に表示する画像ファイルの水平方向及び垂直方向の画素の数は、表示素子１３、１４の画素数により変えてもよく、モアレの見やすいサイズであればよい。
【００３７】
本実施形態の他の態様としては、図４に示すように、調整用信号発生器１は、投影面１６に、画素の水平方向１列のラインの上から奇数番目のライン（例えば、２×ｋ＋３番目、ｋは０以上の整数）を１本と、この奇数番目のラインから上下方向に等間隔の２本の上から偶数番目のライン（例えば、２×ｋ番目と２×ｋ＋６番目）を表示させる信号を発生するようにする。
【００３８】
表示素子１３の投影位置の右下方向に表示素子１４の投影位置をずらせた場合、正確にずれ位置が合っていると表示素子１３の水平方向左からｍ番目、垂直方向上からｎ番目の画素（ｍ，ｎは０以上の整数）は、投影面１６の左上位置を原点（ｘ＝０、ｙ＝０）とし水平右方向にｘ軸、垂直下方向にｙ軸を取った座標上での位置は、
ｘ＝２×ｍ，ｙ＝２×ｎ
に投影される。
【００３９】
また、表示素子１４の水平方向左からｍ番目、垂直方向上からｎ番目の画素は、
ｘ＝２×ｍ＋１，ｙ＝２×ｎ＋１
に投影される。なお、表示素子をどちらの方向に斜めにずらすかによりこの関係は逆転する。
【００４０】
このように、図４において、画素の水平方向１列のライン（直線）の上から奇数番目のライン（ｙ＝２×ｋ＋３）は表示素子１４により投影面１６に表示され、２本の上から偶数番目のライン（ｙ＝２×ｋとｙ＝２×ｋ＋６）は表示素子１３により表示されることになる。
【００４１】
ここで、図４の３本のラインは、表示素子１３，１４同士のずらし量が適切であれば、２本の偶数番目のライン（ｙ＝２×ｋとｙ＝２×ｋ＋６）それぞれと奇数番目のライン（ｙ＝２×ｋ＋３）の間隔は全く同じになるが、表示素子１４が下方向にずれていると図５（ａ）に示すように真中の奇数番目のライン（表示素子１４により表示されるライン）が下方向にずれて表示され、表示素子１４が回転方向にずれていると図５（ｂ）に示すように真中の奇数番目のラインが回転しているようにずれて表示され、ライン間の距離が等距離で無くなることからずれていることが分かる。
【００４２】
よって、上述の３本のライン間の距離がライン全体に渡って等距離になるように表示素子１３、１４同士の位置関係を調整すれば垂直方向画素ずらし量を正確に調整することができる。
【００４３】
また、水平方向の画素ずれ量も同様にして、垂直方向に３本のラインを表示させることにより調整できるので、例えば、図６に示すような格子状のパターンを表示させることにより画面全体に渡り画素ずれ量を調整することができる。
【００４４】
【発明の効果】
本発明によれば、投射型表示装置に２つの表示素子の光出力位置のずれ量に応じたモアレを表示し、このモアレによりずれ量を調整しているので、表示素子が別々に配置されていても光出力位置のずれ量を容易に調整することができる。
【００４５】
また、一方の表示素子に画素ピッチよりも所定の長さ長い波長の正弦波を画素ピッチでサンプリングした画像ファイルを表示し、他方の表示素子にその正弦波から位相を0.5波長分を中心にずらした正弦波からサンプリングしたものを帯状にして段階的に位相を変化させるように並べた画像ファイルを表示すれば、ずれ量とともにずれ方向に応じてモアレを変化させることができ、光出力位置のずれ量を容易に調整することができる。
【００４６】
また、投射型表示装置に２つの表示素子の光出力位置のずれ量に応じて相互の間隔が異なって表示される３本の直線を表示し、この直線によりずれ量を調整しているので、表示素子が別々に配置されていても光出力位置のずれ量を容易に調整することができる。
【図面の簡単な説明】
【図１】本発明の一実施形態の表示素子の画素ずらし量調整装置を示す図であり、その概略ブロック図である。
【図２】その表示素子のずれ量と正弦波の周波数によるモアレの見え方を示した図である。
【図３】その表示素子のずれ量と正弦波の位相ずれ量によるモアレの見え方を示した図である。
【図４】その他の態様の直線の表示位置を示す図である。
【図５】その表示素子のずれ量が異常なときの直線の表示例を示す図である。
【図６】その調整用の画像例を示す図である。
【図７】従来の投射型表示装置を示す概略ブロック図である。
【符号の説明】
１  調整用信号発生器
１０  投射型表示装置
１１  ランプ
１２  偏光ビームスプリッタ
１３，１４  表示素子
１５  レンズ
１６  投影面
【図１】
0004101562.tif 000002
【図２】
0004101562.tif 000003
【図３】
0004101562.tif 000004
【図４】
0004101562.tif 000005
【図５】
0004101562.tif 000006
【図６】
0004101562.tif 000007
【図７】
0004101562.tif 000008